【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
コードブロックにおいてレシーバに送信されるべきコードブロックデータを識別するステップと、
インターリーブされたコードブロックデータを生成するために、前記コードブロックデータをインターリーブするステップと、
異なるコードブロックからのインターリーブされたコードブロックデータをシーケンシャルに連結するステップと、
前記連結されたインターリーブされたコードブロックデータを直交周波数分割多重化(OFDM)シンボルにシーケンシャルに割り振るステップと、
各OFDMシンボルにおいて送信されるべきインターリーブされたOFDMシンボルデータを生成するために、各OFDMシンボルに割り振られた、前記連結されたインターリーブされたコードブロックデータをインターリーブするステップと、
前記OFDMシンボルを前記レシーバに送信するステップと
を含む、方法。
【請求項２】
前記コードブロックデータをインターリーブするステップが、
前記コードブロックデータ内でシステマティックデータとパリティデータとをインターリーブするステップ
を含む、請求項1に記載の方法。
【請求項３】
前記コードブロックデータが、ターボコード符号化データ、低密度パリティチェック(LDPC)符号化データ、またはテールバイティング畳み込みコード(TBCC)符号化データを備える、請求項1に記載の方法。
【請求項４】
複数のコードブロックからのインターリーブされたコードブロックデータを複数の他のOFDMシンボルに割り振るステップと、
前記複数の他のOFDMシンボルのためのインターリーブされたOFDMシンボルデータを生成するために、前記複数の他のOFDMシンボルについて、前記インターリーブされたコードブロックデータの前記割り振られた部分をインターリーブするステップと、
前記コードブロックの前記複数の他のOFDMシンボルを前記レシーバに送信するステップと
をさらに含む、請求項1に記載の方法。
【請求項５】
前記コードブロック内のインターリービング、および前記OFDMシンボル内のインターリービングが、前記レシーバにおける前記コードブロックの復号のパイプライン実装を動作可能に有効にする、請求項4に記載の方法。
【請求項６】
前記割り振るステップが、
前記コードブロックの送信のためのワイヤレスリソースのリソース割振りを識別するステップであって、前記リソース割振りが、前記複数のOFDMシンボル、各OFDMシンボル内の複数のリソース要素(RE)、および各RE内の空間レイヤのセットの割振りを含む、ステップと、
第1に、前記インターリーブされたコードブロックデータを同じRE内の1つまたは複数の空間レイヤにマッピングするステップと、
第2に、前記インターリーブされたコードブロックデータをOFDMシンボル内の複数のREにマッピングするステップと、
第3に、前記インターリーブされたコードブロックデータを前記複数のOFDMシンボルにマッピングするステップと
を含む、請求項4に記載の方法。
【請求項７】
前記レシーバから、前記レシーバが2ステージチャネルインターリービングをサポートすることが可能であるかどうかの指示を受信するステップと、
前記レシーバが2ステージインターリービングをサポートすることが可能であることを示すことに応答して、前記インターリーブされたコードブロックデータと、前記インターリーブされたOFDMシンボルデータとを生成するために2ステージインターリービングを実行するステップと
をさらに含む、請求項1に記載の方法。
【請求項８】
前記レシーバが2ステージチャネルインターリービングをサポートすることが可能であるという指示の受信がない場合、レガシーのチャネルインターリービングなし、またはシングルステージチャネルインターリービングを実行するステップ
をさらに含む、請求項8に記載の方法。
【請求項９】
前記コードブロックデータが、複数のレシーバに送信されるべきブロードキャストデータを含むか、または単一のレシーバに送信されるべきユニキャストデータを含むかを判定するステップと、
前記コードブロックデータがユニキャストデータを含むとき、前記インターリーブされたコードブロックデータと、前記インターリーブされたOFDMシンボルデータとを生成するために、2ステージチャネルインターリービングを実行するステップと、
前記コードブロックデータがブロードキャストデータを含むとき、前記インターリーブされたコードブロックデータと、前記インターリーブされたOFDMシンボルデータとを生成するために、前記インターリービングをバイパスするステップと
をさらに含む、請求項1に記載の方法。
【請求項１０】
ワイヤレス通信のための方法であって、
送信されたコードブロックの複数のOFDMシンボルを受信するステップと、
前記複数のOFDMシンボルのためのインターリーブされたOFDMシンボルデータを取得するために前記複数のOFDMシンボルを復調するステップと、
前記複数のOFDMシンボルのためのデインターリーブされたOFDMシンボルデータを取得するために前記複数のOFDMシンボルのための前記インターリーブされたOFDMシンボルデータをデインターリーブするステップと、
前記送信されたコードブロックのインターリーブされたコードブロックデータを取得するために前記送信されたコードブロックの前記複数のOFDMシンボルのための前記デインターリーブされたOFDMシンボルデータを連結するステップと、
デインターリーブされたコードブロックデータを取得するために前記インターリーブされたコードブロックデータをデインターリーブするステップと、
前記デインターリーブされたコードブロックデータを復号するステップと
を含む、方法。
【請求項１１】
前記デインターリーブされたコードブロックデータを前記復号するステップが、前記コードブロックのパイプライン復号を含む、請求項10に記載の方法。
【請求項１２】
2ステージチャネルインターリービングをサポートするための能力を示す指示を前記送信されたコードブロックのトランスミッタに送信するステップ
をさらに含む、請求項10に記載の方法。
【請求項１３】
前記送信されたコードブロックが、インターリーブされたコードブロックデータとインターリーブされたOFDMシンボルデータとを含むかどうかを示すシグナリングを受信するステップと、
前記シグナリングが、前記送信されたコードブロックがインターリーブされたOFDMシンボルデータを含むことを示さないとき、前記送信されたコードブロック内でパリティデータのレガシーシングルステージデインターリービングを実行するステップと、
前記シグナリングが、前記送信されたコードブロックがインターリーブされたOFDMシンボルデータを含むことを示すとき、前記インターリーブされたOFDMシンボルデータを前記デインターリーブするステップと、連結するステップと、前記インターリーブされたコードブロックデータをデインターリーブするステップとを実行するステップと
をさらに含む、請求項12に記載の方法。
【請求項１４】
ワイヤレス通信のための装置であって
コードブロックにおいてレシーバに送信されるべきコードブロックデータを識別するための手段と、
インターリーブされたコードブロックデータを生成するために、前記コードブロックデータをインターリーブするための手段と、
異なるコードブロックからのインターリーブされたコードブロックデータをシーケンシャルに連結するための手段と、
前記連結されたインターリーブされたコードブロックデータを直交周波数分割多重化(OFDM)シンボルにシーケンシャルに割り振るための手段と、
各OFDMシンボルにおいて送信されるべきインターリーブされたOFDMシンボルデータを生成するために、各OFDMシンボルに割り振られた、前記連結されたインターリーブされたコードブロックデータをインターリーブするための手段と、
前記OFDMシンボルを前記レシーバに送信するための手段と
を備える、装置。
【請求項１５】
ワイヤレス通信のための装置であって
送信されたコードブロックの複数のOFDMシンボルを受信するための手段と、
前記複数のOFDMシンボルのためのインターリーブされたOFDMシンボルデータを取得するために前記複数のOFDMシンボルを復調するための手段と、
前記複数のOFDMシンボルのためのデインターリーブされたOFDMシンボルデータを取得するために前記複数のOFDMシンボルのための前記インターリーブされたOFDMシンボルデータをデインターリーブするための手段と、
前記送信されたコードブロックのインターリーブされたコードブロックデータを取得するために前記送信されたコードブロックの前記複数のOFDMシンボルのための前記デインターリーブされたOFDMシンボルデータを連結するための手段と、
デインターリーブされたコードブロックデータを取得するために前記インターリーブされたコードブロックデータをデインターリーブするための手段と、
前記デインターリーブされたコードブロックデータを復号するための手段と
を備える、装置。